(57)【要約】【課題】組立工数を削減することができる電力量計を提供する。【解決手段】電力配電線を固定するベース１３と、ベース１３に取り付けられるとともに端部にケース突起部２０が形成されたケース１０と、ベース１３を覆うとともにケース突起部２０をベース１３とで挟み込む挟み込み部１９１が形成されたカバー１９ａとを備える。【選択図】図４
2015219017.tif 000002
【特許請求の範囲】
【請求項１】
電力配電線を固定するベースと、
前記ベースに取り付けられるとともに端部にケース突起部が形成されたケースと、
前記ベースを覆うとともに前記ケース突起部を前記ベースとで挟み込む挟み込み部が形成されたカバーと、
を備えることを特徴とする電力量計。
【請求項２】
前記カバーは、第１爪部が形成された第１可撓性部材を有し、
前記ベースは、前記第１爪部と嵌合する第１凹部を有することを特徴とする請求項１記載の電力量計。
【請求項３】
前記ベースは、第２爪部が形成された第２可撓性部材を有し、
前記カバーは、前記第２爪部と嵌合する第２凹部を有することを特徴とする請求項１又は請求項２記載の電力量計。
【請求項４】
電力配電線を固定するベースと、
前記ベースに取り付けられるケースと、
前記ベースを覆うカバーと、
前記カバーを前記ケースに取り付けるとともに前記カバーを開閉可能にさせるヒンジ部とを有し、
前記カバーは、１つ以上のカバー凸部を有し、前記ケースは、前記１つ以上のカバー凸部に嵌合される１つ以上のケース凹部を有することを特徴とする電力量計。
【発明の詳細な説明】
【技術分野】
【０００１】
本発明は、ケースとベースとカバーとを備えた電力量計に関する。
【背景技術】
【０００２】
電力量計は、電力配電線を固定するベースと、ベースに取り付けられるケースと、ベースを覆うカバーとを有して構成される。
【０００３】
図１８は、従来の電力量計の斜視図である。図１８（ａ）、図１８（ｃ）はカバー１９が取り付けられたベース１３をケース１０に取り付けた状態、図１８（ｂ）はケース１０にベース１３を取り付けた状態を示す。図１９、図２０は、図１８に示す従来の電力量計の分解図である。電力量を表示する表示部１５を有する回路部１４は、ケース１０に収納される。導体部１６には導体部１６に流れる電流を検出するセンサ部１７が取り付けられている。
【０００４】
４つの導体部１６の内、左側の２つの導体部１６には、電力供給側からの配電線を固定する電源側端子が取り付けられている。右側の２つの導体部１６には、需要家への配電線を固定する負荷側端子が取り付けられている。導体部１６はベース１３に収納され、ベース１３にカバー１９と、ベース１３がケース１０に取り付けられる。
【０００５】
この電力量計では、１つ以上のねじ１２をカバー１９を通してベース１３の雌ねじ部に締め付けることでベース１３とカバー１９とを封印していた。また、ケース１０とベース１３とは、図示しないねじなどにより封印していた。即ち、カバー１９の封印とケース１０の封印を別々に行っていた。
【０００６】
なお、従来の技術として、例えば、特許文献１に記載された電力量計が知られている。
【先行技術文献】
【特許文献】
【０００７】
【特許文献１】特開２００２−２６７６８９号公報
【発明の概要】
【発明が解決しようとする課題】
【０００８】
しかしながら、カバー１９とベース１３とを封印する工程と、ケース１０とベース１３とを封印する工程が増加する。このため、コストがアップしていた。
【０００９】
本発明の課題は、組立工数を削減することができる電力量計を提供する。
【課題を解決するための手段】
【００１０】
上記課題を解決するために、本発明に係る請求項１の発明は、電力配電線を固定するベースと、前記ベースに取り付けられるとともに端部にケース突起部が形成されたケースと、前記ベースを覆うとともに前記ケース突起部を前記ベースとで挟み込む挟み込み部が形成されたカバーとを備えることを特徴とする。
【００１１】
請求項２の発明は、前記カバーは、第１爪部が形成された第１可撓性部材を有し、前記ベースは、前記第１爪部と嵌合する第１凹部を有することを特徴とする。
【００１２】
請求項３の発明は、前記ベースは、第２爪部が形成された第２可撓性部材を有し、前記カバーは、前記第２爪部と嵌合する第２凹部を有することを特徴とする。
【００１３】
請求項４の発明は、電力配電線を固定するベースと、前記ベースに取り付けられるケースと、前記ベースを覆うカバーと、前記カバーを前記ケースに取り付けるとともに前記カバーを開閉可能にさせるヒンジ部とを有し、前記カバーは、１つ以上のカバー凸部を有し、前記ケースは、前記１つ以上のカバー凸部に嵌合される１つ以上のケース凹部を有することを特徴とする。
【発明の効果】
【００１４】
本発明によれば、カバーに形成された挟み込み部が、ケースの端部に形成されたケース突起部をベースとで挟み込み、カバーを封印することで、ケースも封印できるので、組立工数を削減することができる電力量計を提供することができる。
【図面の簡単な説明】
【００１５】
【図１】本発明の実施例１に係る電力量計の斜視図である。
【図２】本発明の実施例１に係る電力量計の分解図である。
【図３】本発明の実施例１に係る電力量計の分解図である。
【図４】本発明の実施例１に係る電力量計のケース突起部をベースとカバーとで挟み込んだ状態を示す拡大図である。
【図５】本発明の実施例２に係る電力量計の斜視図である。
【図６】本発明の実施例２に係る電力量計のカバー及びベースの分解図である。
【図７】本発明の実施例２に係る電力量計のカバーに設けたスナップフィット部の爪部とベース凹部との嵌合を示す断面図である。
【図８】本発明の実施例３に係る電力量計の斜視図である。
【図９】本発明の実施例３に係る電力量計のカバー及びベースの分解図である。
【図１０】本発明の実施例３に係る電力量計のベースに設けたスナップフィット部の爪部とカバー凹部との嵌合を示す断面図である。
【図１１】本発明の実施例４に係る電力量計の斜視図である。
【図１２】本発明の実施例４に係る電力量計のケースとカバーとベースとの分解図である。
【図１３】本発明の実施例４に係る電力量計のケースとカバーとベースとの分解図である。
【図１４】本発明の実施例４に係る電力量計のケースとカバーとベースとの拡大図である。
【図１５】本発明の実施例４に係る電力量計のケースとカバーとベースとの断面図である。
【図１６】本発明の実施例５に係る電力量計の斜視図である。
【図１７】本発明の実施例６に係る電力量計の斜視図である。
【図１８】従来の電力量計の斜視図である。
【図１９】図１８に示す従来の電力量計の分解図である。
【図２０】図１８に示す従来の電力量計の分解図である。
【発明を実施するための形態】
【００１６】
以下、本発明の実施の形態に係る電力量計について、図面を参照しながら詳細に説明する。
【実施例１】
【００１７】
図１は、本発明の実施例１に係る電力量計の斜視図である。図２、図３は、本発明の実施例１に係る電力量計の分解図である。
【００１８】
図１に示す電力量計は、電力配電線を固定するベース１３と、ベース１３に取り付けられるケース１０と、ベース１３を覆うカバー１９ａとを備える。ケース１０の下端部には平板状のケース突起部２０が形成されている。
【００１９】
図４は、本発明の実施例１に係る電力量計のケース突起部２０をベース１３とカバー１９ａとで挟み込んだ状態を示す拡大図である。
【００２０】
図４において、ベース１３上にケース１０とカバー１９ａが配置されている。カバー１９ａは、平板からなり、先端には凹凸部が形成された挟み込み部１９１を有している。挟み込み部１９１は、凹部にケース突起部２０を挟み込み、凸部でケース突起部２０を覆っている。
【００２１】
図２、図３において、電力量を表示する表示部１５を有する回路部１４は、ケース１０に収納される。導体部１６には導体部１６に流れる電流を検出するセンサ部１７が取り付けられている。
【００２２】
４つの導体部１６の内、左側の２つの導体部１６には、電力供給側からの配電線を固定する電源側端子が取り付けられている。右側の２つの導体部１６には、需要家への配電線を固定する負荷側端子が取り付けられている。導体部１６はベース１３に収納され、ケース１０に取り付けられる。
【００２３】
このように構成された実施例１の電力量計によれば、カバー１９ａに形成された挟み込み部１９１が、ケース１０の端部に形成されたケース突起部２０をベース１３とで挟み込み、カバー１９ａを封印することで、ケース１０も封印できるので、組立工数を削減することができる電力量計を提供することができる。
【実施例２】
【００２４】
図５は、本発明の実施例２に係る電力量計の斜視図である。図６（ａ）、図６（ｂ）は、本発明の実施例２に係る電力量計のカバー１９ｂの分解図、図６（ｃ）、図６（ｄ）は、ベース１３の分解図である。図７は、本発明の実施例２に係る電力量計のカバー１９ｂに設けたスナップフィット部１９２の爪部１９３とベース凹部１３１との嵌合を示す断面図である。
【００２５】
実施例２に係る電力量計は、図４に示す実施例１に係る電力量計のカバー１９ａ及びケース１０の封印構造に、さらに、以下の構成が設けられている。即ち、図７に示すように、カバー１９ｂには腕状のスナップフィット部１９２（本発明の第１可撓性部材に対応）が形成されており、このスナップフィット部１９２の先端には爪部１９３（本発明の第１爪部に対応）が形成されている。ベース１３には、ベース穴１３０とベース凹部１３１（本発明の第１凹部に対応）が設けられている。ベース穴１３０にはスナップフィット部１９２が挿入され、スナップフィット部１９２に形成された爪部１９３がベース凹部１３１と嵌合するようになっている。
【００２６】
このように構成された実施例２の電力量計によれば、ベース１３にカバー１９ｂを取り付ける際には、カバー１９ｂに形成されたスナップフィット部１９２をベース穴１３０に挿入し、スナップフィット部１９２の爪部１９３とベース凹部１３１とを嵌合させる。これにより、第三者によるイタズラ等により電力量計を開けることができないようにすることができる。
【実施例３】
【００２７】
図８は、本発明の実施例３に係る電力量計の斜視図である。図９（ａ）、図９（ｂ）は、本発明の実施例３に係る電力量計のカバー１９ｃの分解図、図９（ｃ）、図９（ｄ）は、ベース１３の分解図である。図１０は、本発明の実施例３に係る電力量計のベース１３に設けたスナップフィット部１３２の爪部１３３とカバー凹部１９４との嵌合を示す断面図である。
【００２８】
実施例３に係る電力量計は、図４に示す実施例１に係る電力量計のカバー１９ａ及びケース１０の封印構造に、さらに、以下の構成が設けられている。即ち、図１０に示すように、ベース１３には腕状のスナップフィット部１３２（本発明の第２可撓性部材に対応）が形成されており、このスナップフィット部１３２の先端には爪部１３３（本発明の第２爪部に対応）が形成されている。カバー１９ｃには爪部１３３と嵌合するカバー凹部１９４（本発明の第２凹部に対応）が設けられている。
【００２９】
このように構成された実施例３の電力量計によれば、ベース１３にカバー１９ｃを取り付ける際には、ベース１３に形成されたスナップフィット部１３２の爪部１３３をカバー凹部１９４と嵌合させる。これにより、第三者によるイタズラ等により電力量計を開けることができないようにすることができる。
【実施例４】
【００３０】
図１１は、本発明の実施例４に係る電力量計の斜視図である。図１２及び図１３は、本発明の実施例４に係る電力量計のケース１０とカバー１９ｄとベース１３との分解図である。図１４は、本発明の実施例４に係る電力量計のケース１０とカバー１９ｄとベース１３との拡大図である。図１５は、本発明の実施例４に係る電力量計のケース１０とカバー１９ｄとベース１３との断面図である。
【００３１】
実施例４に係る電力量計には、カバー１９ｄにヒンジ部２２が設けられ、このヒンジ部２２は、カバー１９ｄをケース１０に取り付けるとともにカバー１９ｄをベース１３に対して開閉可能にさせる。
【００３２】
カバー１９ｄには、１つ以上のカバー凸部１９５が形成されている。ケース１０には、１つ以上のカバー凸部１９５と対向する位置に１つ以上のカバー凸部１９５に嵌合される１つ以上のケース凹部２１が形成されている。
【００３３】
このように実施例４の電力量計の構成によれば、カバー１９ｄをベース１３に対して開く時には、図１５に示すように、ヒンジ部２２によりカバー１９ｄを時計方向に約９０度回動させる。そして、カバー１９ｄに形成された１つ以上のカバー凸部１９５を、ケース１０に形成された１つ以上のケース凹部２１に嵌合させる。即ち、カバー１９ｄがケース１０に固定されることになる。
【００３４】
これにより、配線作業時に、カバー１９ｄをベース１３に対して、開けた状態にしておくことができ、作業性を向上することができる。
【実施例５】
【００３５】
図１６は、本発明の実施例５に係る電力量計の斜視図である。図１６に示す実施例５は、図１に示す実施例１のケース突起部２０に対して、ケース突起部２０ａの突起方向の長さが異なることを特徴とする。
【００３６】
ケース突起部２０ａの突起部分の長さは、カバー１９ｅの縦方向の長さと同じであり、カバー１９ｅがケース突起部２０ａを覆うようになっている。なお、実施例５のその他の構成は、図１に示す実施例１の構成と同じである。
【００３７】
このような実施例５の構成によれば、実施例１に係る電力量計の効果と同様な効果が得られる。また、カバー１９ｅの段差がなくなる。
【実施例６】
【００３８】
図１７は、本発明の実施例６に係る電力量計の斜視図である。図１７に示す実施例６は、ベース１３に形成されたベース段差部１３ａに、ケース１０に形成されたケース突起部２０ｂを差し込み、ベース段差部１３ａとケース突起部２０ｂとをカバー１９ｅで覆うようにしたことを特徴とする。なお、実施例６のその他の構成は、図１に示す実施例１の構成と同じである。
【００３９】
このような実施例６の構成によれば、実施例１に係る電力量計の効果と同様な効果が得られる。また、カバー１９ｅの段差がなくなる。
【００４０】
なお、本発明は、上述した実施例１乃至実施例６の電力量計に限定されるものではない。例えば、実施例１乃至実施例６の電力量計の２つ以上の実施例を組み合わせても良い。このようにすれば、さらに、効果が大となる。
【符号の説明】
【００４１】
１０  ケース
１２  ねじ
１３，１３ａ  ベース
１４  回路部
１５  表示部
１６  導体部
１７  センサ部
１９，１９ａ，１９ｂ，１９ｃ，１９ｄ，１９ｅ  カバー
２０，２０ａ，２０ｂ  ケース突起部
２１  ケース凹部
２２  ヒンジ部
１３０  ベース穴
１３１  ベース凹部
１３２  スナップフィット部
１３３  爪部
１９１  挟み込み部
１９２  スナップフィット部
１９４  カバー凹部
１９５  カバー凸部
【図１】
2015219017.tif 000003
【図２】
2015219017.tif 000004
【図３】
2015219017.tif 000005
【図４】
2015219017.tif 000006
【図５】
2015219017.tif 000007
【図６】
2015219017.tif 000008
【図７】
2015219017.tif 000009
【図８】
2015219017.tif 000010
【図９】
2015219017.tif 000011
【図１０】
2015219017.tif 000012
【図１１】
2015219017.tif 000013
【図１２】
2015219017.tif 000014
【図１３】
2015219017.tif 000015
【図１４】
2015219017.tif 000016
【図１５】
2015219017.tif 000017
【図１６】
2015219017.tif 000018
【図１７】
2015219017.tif 000019
【図１８】
2015219017.tif 000020
【図１９】
2015219017.tif 000021
【図２０】
2015219017.tif 000022